(57)【要約】【課題】止水・吐水機能と流量調整機能を兼ねた操作部材を操作するだけで水が吐出する水栓を提供すること。【解決手段】止水・吐水機能と流量調整機能を兼ねた操作部材５４と、散水器５５、洗濯機などの給水ホース５６の継手部材５７が簡易着脱自在に接続され、前記継手部材５７が接続されていないときには、弾性部材７０によって下流側へと付勢される弁体７１が上流側から弁座部材７２に当接して止水状態とする一方、前記継手部材５７が接続されると、前記弾性部材７０の付勢力に抗して前記弁体７１が前記弁座部材７２から上流側へと離間して吐水状態とするよう構成された給水口部５８とを有する水栓において、前記給水口部５８に簡易着脱自在に接続する吐水口部材１を設け、前記給水口部５８に前記吐水口部材１を接続して前記吐水状態とし、前記操作部材５４を吐水操作することによって前記吐水口部材１から給水できるように構成してある。【選択図】　　　　図１
2004044151.tif 000002
【特許請求の範囲】
【請求項１】
止水・吐水機能と流量調整機能を兼ねた操作部材と、散水器、洗濯機などの給水ホースの継手部材が簡易着脱自在に接続され、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成された給水口部とを有する水栓において、前記給水口部に簡易着脱自在に接続する吐水口部材を設け、前記給水口部に前記吐水口部材を接続して前記吐水状態とし、前記操作部材を吐水操作することによって前記吐水口部材から給水できるように構成してあることを特徴とする水栓。
【発明の詳細な説明】
【０００１】
【発明の属する技術分野】
この発明は、水栓に関する。
【０００２】
【従来の技術】
本出願人は、図４〜図７に示すように、直方体形状のハウジング本体５３内に前面開口５３ａを介して水栓本体５２が収容され、この水栓本体５２は、流入口５２ａおよび流出口５２ｂとセラミック製の固定ディスクおよび可動ディスクを内蔵するカートリッジ式の弁体を有し、前記水栓本体５２の上部に、止水・吐水機能と流量調整機能を兼ねたダイヤル型のハンドル５４が設けられ、前記弁体の下流側に散水器５５の給水ホース５６の上流端に設けられた継手部材５７が着脱自在である給水口部５８が設けられ、前記弁体の上流側に鞘管５９に被覆された樹脂パイプ（配管）が接続される接続部６０が設けられ、前面開口５３ａを介してハウジング本体５３前面側に着脱自在に嵌込まれた枠体６１とこの枠体６１内に着脱自在に嵌込まれた化粧プレート６２を備え、化粧プレート６２の上開口６２ａにハンドル５４が配置され、化粧プレート６２の下開口６２ｂに給水口部５８が配置され、例えば、庭先に面した外壁６３に設けた開口内に、枠体６１の裏面における外周端面部６１ａと、ハウジング本体５３の左右の側面に前後方向にスライド可能に設けた一対のスライド部材６４，６４とで外壁６３を挟むことにより固定設置される水栓、いわゆる、水道用コンセントを開発している。
【０００３】
これは、図８に示すように、継手部材５７が給水口部５８に連結されていないときは、弾性部材７０によって下流側へと付勢される弁体７１が上流側から弁座部材７２に当接して水が通れず止水状態とする一方、図９に示すように、継手部材５７が給水口部５８に連結されると、弾性部材７０の付勢力に抗して弁体７１が弁座部材７２から上流側へと離間して吐水状態となり、ハンドル５４を吐水操作することによって給水口部５８から給水できるように構成し、それによって、給水中に子供のいたずらなどによって、継手部材５７が不意に給水口部５８から外されたとしても、給水口部５８から水が吐出されず、水漏れ事故などを未然に防ぐことができるというものである。
【０００４】
【発明が解決しようとする課題】
しかし、上記構成の水道用コンセントは、図１０に示すように、例えばロックレバー９９付きの洗濯機用の給水ホース側継手１０１が接続される給水口部１０２を有し、両者１０１，１０２を接続した後、止水・吐水機能と流量調整機能を兼ねた操作部材１１０を吐水操作することによって洗濯機に給水できる通常の水栓９８とは吐水形態が異なっており、給水ホース５６の継手部材５７を給水口部５８に連結しないとハンドル５４を吐水操作しても給水口部５８から水が吐出しないことから、不便であった。
【０００５】
例えば、図７に示すような場合、散水器５５の給水ホース５６を取り外した状態でハンドル５４を吐水操作しただけでは給水口部５８から水が吐出しないという問題があり、ガーディニングや洗車後に給水ホース５６を用いないと給水口部５８からの水で手洗いや、バケツに水を溜めるといったことが行えないという問題があった。
【０００６】
この発明は上述の事柄に留意してなされたもので、その目的は、図１０に示すような水栓と同様に止水・吐水機能と流量調整機能を兼ねた操作部材を操作するだけで水が吐出する水栓を提供することである。
【０００７】
【課題を解決するための手段】
上記目的を達成するために、この発明の水栓は、止水・吐水機能と流量調整機能を兼ねた操作部材と、散水器、洗濯機などの給水ホースの継手部材が簡易着脱自在に接続され、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成された給水口部とを有する水栓において、前記給水口部に簡易着脱自在に接続する吐水口部材を設け、前記給水口部に前記吐水口部材を接続して前記吐水状態とし、前記操作部材を吐水操作することによって前記吐水口部材から給水できるように構成してある。
【０００８】
【発明の実施の形態】
以下、この発明の実施の形態について説明する。
【０００９】
この発明の特徴は、図４〜図９で示した水栓の給水口部５８に簡易着脱自在に接続する吐水口部材１を設け、前記給水口部５８に前記吐水口部材１を接続して吐水状態とし、止水・吐水機能と流量調整機能を兼ねた操作部材５４を吐水操作することによって前記吐水口部材１から給水できるように構成した点にある。
【００１０】
図１〜図３は、この発明の一実施形態を示す。なお、図１〜図３において、図４〜図７で示した符号と同一のものは、同一または相当物である。
【００１１】
そして、図４〜図９で示した水栓と、この水栓の給水口部５８に簡易着脱自在に接続される前記吐水口部材１とでこの発明が構成される。また、この実施形態では、給水ホースとして庭先でのガーディニングや駐車場での洗車に用いられる散水器５５の給水ホース５６を採用している。
【００１２】
図１〜図３において、吐水口部材１は、給水口部５８に簡易着脱自在に接続するよう構成されている。吐水口部材１は、筒体の両端に形成される水平方向を向く上流側の開口１ａと下流側の開口１ｂの向きが所定角度θ（直角または鋭角）をなすように、筒体の胴４のほぼ中間部を、開口１ｂが斜め下方を向くように下向きに湾曲させた形状をなす。
【００１３】
吐水口部材１は、上流側の開口１ａに、給水口部５８に簡易着脱自在に接続する給水口部用継手２を有するとともに、下流側の開口１ｂに、整流器付の吐水口部３を有する。
【００１４】
まず、図８、図９をも参照しながら給水口部５８について説明する。
【００１５】
給水口部５８は、ほぼ円筒状の継手本体１１内に、弁座部材７２とこの弁座部材７２に上流側から当接可能な弁体７１とよりなるストップ弁１４を有し、更に、弁体７１を下流側へと付勢する弾性部材７０を有する。
【００１６】
前記継手本体１１は、内壁の上流部に段差１６が形成されており、また、外周面にロック溝部１７が設けられている。さらに、継手本体１１の上流側には、前記段差１６を介して継手本体１１の内径よりも小さい径となる流路が連通されており、また、継手本体１１の内壁下流部には、雌ねじ部８が設けられている。
【００１７】
前記弁座部材７２は、ほぼ円筒状の部材であり、前記雌ねじ部１８に螺着可能な雄ねじ部１９が外周面に設けられているとともに、内壁上流部には、弁座部２０が設けられている。
【００１８】
前記弁体７１は、下流側に突出部２１を有するとともに、上流側に筒部２２を有する。
【００１９】
前記弁体７１は、外周に、たとえばＯリングなどのシール部材２３を装着することが可能となっている。
【００２０】
前記突出部２１は、側面視がほぼＬ字形状であり、突出部２１の下流端部２４の先端は、継手本体１１の長さ方向に対してほぼ直角をなす角度を向くように設けられている。
【００２１】
前記筒部２２は、継手本体１１の内壁に沿って摺動可能であり、スリット２５が側面に四つ形成されている。また、筒部２２の上流部に設けられた段差２６よりも上流側の部分は、内径が大きくなる薄壁部分２７となっている。
【００２２】
前記弾性部材７０は、たとえばコイルスプリングであり、上流端が継手本体１１の段差１６に、下流端が弁体７１の段差２６にそれぞれ当接し、弁体７１を常に下流側へ付勢している。
【００２３】
次に、図３を用いて吐水口部材１の給水口部用継手２について説明する。この給水口部用継手２は、上述した、散水器５５の給水ホース５６の上流端に設けられた継手部材５７（図８、図９参照）と同一の機能を有する。
【００２４】
前記給水口部用継手２は、ほぼ円筒状の継手本体２ａと、継手本体２ａの小径部にねじによって外嵌するとともに、上流側の開口１ａを形成する前記胴４の上流端部に内嵌されるリング体２ｂと、継手本体２ａの外壁に沿って、継手本体２ａの軸芯方向に摺動可能であるとともに、スプリング３４によって常に上流側へ付勢されているほぼ円筒状の摺動部材３３とを有する。
【００２５】
前記継手本体２ａの内壁には、上流側から順に、給水口部５８の前記ロック溝部１７を係止するための係止部３０と、給水口部５８の前記継手本体１１の外周面に当接可能なシール部材３１と、内径が小さくなる小径部３２とが形成されている。
【００２６】
前記係止部３０は、四つの貫通孔３５、３５…と、各貫通孔３５により保持される四つのロックボール３６、３６…とからなる。
【００２７】
前記摺動部材３３には、その内周面に突出部３７が内側に向かって形成されており、さらに、この突出部３７の上流側には、その内周面が突出部３７の内周面よりも外側になるように設けられた凹入部３８が形成されている。そして、前記突出部３７の下流側の側面に、摺動部材３３を常に上流側に付勢するスプリング３４の上流側の端部が当接する構成となっている。
【００２８】
また、継手本体２ａの先端部外周面には、リング状の抜け止め部材３９が設けられており、この抜け止め部材３９は、前記摺動部材３３が継手本体２ａから上流側へ抜けることを防止するためのものである。
【００２９】
次に、上記の構成からなる給水口部用継手２を前記給水口部５８に連結する際の動作について説明する。
【００３０】
給水口部５８に給水口部用継手２が接続されていない状態では、弁体７１が弾性部材７０によって常に下流側へ付勢されている（図８参照）ことから、弁体７１のシール部材２３が、弁座部材７２の弁座部２０（図８参照）に当接した状態となっており、水が弁座部２０を流通不能となっている。
【００３１】
一方、接続前の給水口部用継手２では、摺動部材３３は、その摺動可能範囲の最も上流に位置し、このとき、摺動部材３３の突出部３７は、前記係止部３０のすぐ外側に位置する（図３、図８参照）。この状態では、突出部３７は前記ロックボール３６を継手本体２ａの内側へ付勢し、このように付勢された前記ロックボール３６は、継手本体２ａの内壁の内側へ突出することになる。そして、継手本体２ａの内壁の内側へ突出したロックボール３６は、給水口部５８の前記継手本体１１が継手本体２ａの内部に進入することを阻止する。
【００３２】
上記のような状態にある給水口部用継手２の摺動部材３３を下流側へ摺動させると、継手本体２ａを継手本体１１に取り付けることが可能となる。
【００３３】
すなわち、摺動部材３３を下流側へ摺動させると、前記係止部３０のすぐ外側に位置していた突出部３７がこの位置から下流側へ移動し、凹入部３８が係止部３０のすぐ外側に位置することになる。そして、この状態では、前記ロックボール３６は継手本体２ａの内壁から凹入部３８へと退避することが可能となり、継手本体１１を継手本体２ａの内部へ進入させることが可能な状態（以下、進入可能状態という）となる。
【００３４】
上記進入可能状態にある継手本体２ａを、前記継手本体１１に外嵌させると、まず、前記弁体７１の下流端部２４が、継手本体２ａの内壁下流部に設けられた小径部３２に上流側から当接する。そして、継手本体２ａをさらに継手本体１１に深く差し込むと、前記小径部３２が下流端部２４を上流側へ付勢することになり、この付勢が弾性部材７０による下流側への付勢よりも大きくなると、弁体７１が上流側へ摺動することになる。このように弁体７１が上流側へと摺動した状態では、弁座部２０に当接していた弁体７１のシール部材２３が、弁座部２０から離れることになり、弁座部２０を水が流通可能となる。なお、前記下流端部２４の上流面から継手本体１１の下流端までの距離は、弁体７１と弁座部２０との間を充分にあけることができるように設定されている。
【００３５】
一方、継手本体２ａを継手本体１１に可能な限り差し込んだ状態では、前記係止部３０がロック溝部１７のすぐ外側に位置することになる。そして、下流側へと摺動させていた前記摺動部材３３をスプリング３４の付勢に委ねると、摺動部材３３は初期の位置に戻り、ロックボール３６は前記突出部３７により再び継手本体２ａの内側へ付勢される。このように付勢されたロックボール３６は、継手本体１１のロック溝部１７に当接し、これにより継手本体２ａは給水口部５８から抜けないようにロックされる。
【００３６】
上記のように給水口部５８に給水口部用継手２を連結した状態とすることで、前記吐水状態とし、前記操作部材５４を吐水操作することによって前記吐水口部材１から給水できる。
【００３７】
なお、継手本体１１から吐水口部材１を外すには、上記のロックボール３６とロック溝部１７とによるロックを解除する必要があり、このロックの解除は、前記摺動部材３３を下流側へ摺動させることで行うことができる。すなわち、摺動部材３３を下流側へ摺動させると、前記ロックボール３６は摺動部材３３の凹入部３８へと退避可能となり、ロックボール３６によるロック溝部１７の係止が解除され、前記ロックが解除されることとなる。ロック解除の操作は、片手で行うことができる。
【００３８】
また、図１、図４に示すように、化粧プレート６２には、下開口６２ｂに並設された凹溝６２ｄが形成されている。この凹溝６２ｄには、図１０に示したロックレバー９９の先端爪９９ａが収容される。
【００３９】
而して、図１に示すように、ガーディニングや洗車に使用した散水器５５の給水ホース５６を給水口部５８から取り外し、吐水口部材１を給水口部５８に取り付けると、操作部材５４を吐水操作することによって前記吐水口部材１から給水でき、手洗いや、バケツに水を溜めるといったことが行える。
【００４０】
【発明の効果】
この発明では、水道水のように止水・吐水機能と流量調整機能を兼ねた操作部材を操作するだけで水が吐出する水栓を提供することができる。
【図面の簡単な説明】
【図１】この発明の一実施形態を示す構成説明図である。
【図２】上記実施形態における吐水口部材の取り付け動作を示す斜視図である。
【図３】上記実施形態における吐水口部材を示す縦断面図である。
【図４】上記実施形態において、吐水口部材が接続されていないときの状態を示す正面図である。
【図５】上記実施形態において、枠体と化粧プレートを取り外したときの状態を示す正面図である。
【図６】上記実施形態において、吐水口部材が接続されていないときの状態を示す縦断面図である。
【図７】上記実施形態において、吐水口部材が接続されていないときの使用状態を示す斜視図である。
【図８】上記実施形態で用いる給水口部に対する接続後の状態を示す構成説明図である。
【図９】上記実施形態で用いる給水口部に対する接続後の状態を示す構成説明図である。
【図１０】通常の水栓の使用状態を示す構成説明図である。
【符号の説明】
１…吐水口部材、５４…操作部材、５５…散水器、５６…給水ホース、５７…継手部材、５８…給水口部、７０…弾性部材、７１…弁体、７２…弁座部材。
【図１】
2004044151.tif 000003
【図２】
2004044151.tif 000004
【図３】
2004044151.tif 000005
【図４】
2004044151.tif 000006
【図５】
2004044151.tif 000007
【図６】
2004044151.tif 000008
【図７】
2004044151.tif 000009
【図８】
2004044151.tif 000010
【図９】
2004044151.tif 000011
【図１０】
2004044151.tif 000012